(57)【特許請求の範囲】
【請求項１】
ハウジング部と、前記ハウジング部を回動可能に支持するハンガーと、を備えたヘッドホンにおいて、
前記ハウジング部の内部に収容され、可撓性を有する湾曲した基部と、前記基部の両先端部において、前記両先端部を貫く一軸線上で互いに離れる方向に突出した一対の突出部と、を有するブラケットを備え、
前記ハンガーは、リング状に形成された連結部と前記連結部の径方向に互いに対向して形成された一対の係合部を有し、
前記ハウジング部は、前記一対の係合部に対応した位置に一対の貫通孔を有し、
前記ブラケットの前記一対の突出部が、前記一対の貫通孔を通過し前記一対の係合部に回動可能に係合していることを特徴とするヘッドホン。
【請求項２】
前記一対の突出部の回動角度を所定の範囲とする回動規制部を備えていることを特徴とする請求項１記載のヘッドホン。
【請求項３】
前記ハウジング部の内部にスピーカが収容されていることを特徴とする請求項１又は請求項２記載のヘッドホン。
【発明の詳細な説明】
【技術分野】
【０００１】
本発明は、ヘッドホンに係り、特に、ヘッドバンドとハウジング部とを連結するハンガーを有し、そのハンガーにおいて、ハウジング部に連結する部分の形状をリング状としたヘッドホンに関する。
【背景技術】
【０００２】
ヘッドバンドと、スピーカを収納したハウジング部と、ヘッドバンドとハウジング部とを連結するハンガーと、を有し、そのハンガーにおいて、ハウジング部に連結する部分（以下、連結部と称する）の形状をＵ字状としたヘッドホンが知られており、一例が特許文献１に記載されている。
特許文献１に記載されたヘッドホンは、樹脂によってハンガーの連結部がＵ字状に形成され、そのＵ字状の各先端部に互いに近づく方向に突出する一対の支持ピンが形成される一方、ハウジング部側には一対の支持ピンを受ける挿通孔が形成されているものである。
そして、ヘッドホンの組み立てにおいて、ハンガーのハウジング部への取り付けは、Ｕ字状の連結部の先端側を弾性的に押し広げて間にハウジングを配置し、その後ハンガーを元の形状に戻す過程で一対の支持ピンを挿通孔に差し込む、という作業でなされる。
【先行技術文献】
【特許文献】
【０００３】
【特許文献１】特開平５−１９９５７９号公報
【発明の概要】
【発明が解決しようとする課題】
【０００４】
近年、ヘッドホンは急速に普及し、音響特性のみならず外観デザインにも注目が集まるようになっている。ハンガーは、外観的に重要なパーツであってデザイン上のアクセントとなることから、ハウジング部に連結する部分である連結部の形状を、端部が開放されたＵ字状ではなく、閉じたリング状としたハンガーが提案され、商品化されている。
リング状の連結部を有するハンガーは、連結部の径方向において互いに接近する方向に突出する一対の支持ピンを形成し、一対の支持ピンを、それらに対応して設けられたハウジング部の挿通孔へ取り付けようとしても、リング状という閉じた形状故に、Ｕ字状ハンガーのように弾性的に拡幅変形させて取り付けることは困難である。
そのため、連結部には支持ピンを形成せず、支持ピンに相当する一対の別部材をハウジング部の内側から各挿通孔を通して連結部に固定するという取り付け方法や、が採用される場合がある。
この場合、少なくとも二つの追加部品が必要となり、コストアップになることから低コスト化の改良が望まれる。
【０００５】
そこで、本発明が解決しようとする課題は、リング状の連結部を有するハンガーを備えても、部品点数の増加が抑制され、低コスト化が可能なヘッドホンを提供することにある。
【課題を解決するための手段】
【０００６】
上記の課題を解決するために、本発明は次の構成を有する。
１）  ハウジング部(HS)と、前記ハウジング部(HS)を回動可能に支持するハンガー(1)と、を備えたヘッドホンにおいて、
前記ハウジング部(HS)の内部に収容され、可撓性を有する湾曲した基部(5k)と、前記基部(5k)の両先端部において、前記両先端部を貫く一軸線(CL5)上で互いに離れる方向に突出した一対の突出部(5a,5b)と、を有するブラケット(5)を備え、
前記ハンガー(1)は、リング状に形成された連結部(1a)と前記連結部(1a)の径方向に互いに対向して形成された一対の係合部(1d,1e)を有し、
前記ハウジング部(HS)は、前記一対の係合部(1d,1e)に対応した位置に一対の貫通孔(3k1,3k2)を有し、
前記ブラケット(5)の前記一対の突出部(5a,5b)が、前記一対の貫通孔(3k1,3k2)を通過し前記一対の係合部(1d,1e)に回動可能に係合していることを特徴とするヘッドホン(51)である。
２）  前記一対の突出部(5a,5b)の回動角度を所定の範囲とする回動規制部(1e3,5b3,1e4,5b4)を備えていることを特徴とする１）に記載のヘッドホン(51)である。
３）  前記ハウジング部(HS)の内部にスピーカ(SP)が収容されていることを特徴とする１）又は２）に記載のヘッドホン(51)である。
【発明の効果】
【０００７】
本発明によれば、リング状の連結部を有するハンガーを備えても、部品点数の増加が抑制され、組み立て作業が容易で、低コスト化が可能である。
【図面の簡単な説明】
【０００８】
【図１】本発明のヘッドホンの実施例を説明するための外観斜視図である。
【図２】本発明のヘッドホンの実施例における本体部の側面図である。
【図３】本発明のヘッドホンの実施例における本体部の斜視図である。
【図４】本発明のヘッドホンの実施例におけるバッフルの四面図である。
【図５】本発明のヘッドホンの実施例におけるケースの四面図である。
【図６】本発明のヘッドホンの実施例におけるケースの斜視図である。
【図７】本発明のヘッドホンの実施例におけるハンガーの四面図である。
【図８】本発明のヘッドホンの実施例におけるハンガーの斜視図である。
【図９】本発明のヘッドホンの実施例におけるハンガーの要部拡大図である。
【図１０】本発明のヘッドホンの実施例におけるアーチブラケットの三面図である。
【図１１】本発明のヘッドホンの実施例におけるアーチブラケットの斜視図である。
【図１２】本発明のヘッドホンの実施例におけるアーチブラケットの要部拡大図である。
【図１３】本発明のヘッドホンの実施例における組み立て途中の状態を示す平面図である。
【図１４】本発明のヘッドホンの実施例における分解図である。
【図１５】本発明のヘッドホンの実施例における本体部の断面図である。
【図１６】従来のヘッドホンを説明するための斜視図である。
【発明を実施するための形態】
【０００９】
本発明の実施の形態を、好ましい実施例により図１〜図１５を参照して説明する。
【００１０】
図１は、本発明のヘッドホンの実施例であるヘッドホン５１を示す外観斜視図である。
ヘッドホン５１は、左耳用の本体部ＨＴＬと右耳用の本体部ＨＴＲとヘッドバンドＨＢで連結したいわゆるオーバーヘッド型である。
本体部ＨＴＬと本体部ＨＴＲとは対称形状につき、以下では、特に注記がない限り本体部ＨＴＬについて説明する。また、上下前後内外の各方向は、必要な場合各図に記載して規定する。
【００１１】
図１に示されるように、本体部ＨＴＬは、内部にスピーカＳＰを収納したハウジング部ＨＳと、ハウジング部ＨＳを軸線ＣＬｈ回りの所定角度範囲で回動可能に支持するリング状の連結部１ａを有するハンガー１と、ハウジング部ＨＳに着脱自在に取り付けられたイヤーパッドＥＰと、を有している。ヘッドバンドＨＢは、ハンガー１の腕部１ｂに連結されている。
本体部ＨＴＬは、そのハウジング部ＨＳが、ハンガー１に対し、前後方向に延びる軸線ＣＬｈに直交して上下方向に延びる軸線ＣＬｖまわり（矢印ＤＲｓ方向；図３も参照）に所定の角度範囲内で回動可能となっている。すなわち、スイーベル回動が可能となっている。
また、本体部ＨＴＬは、そのハウジング部ＨＳが、ハンガー１に対し、前後方向に延びる軸線ＣＬｈまわり（矢印ＤＲｔ方向：図２も参照）に所定の角度範囲内で回動可能となっている。すなわち、ティルト回動が可能となっている。
【００１２】
図２及び図３を主に参照してハウジング部ＨＳの概略構成について説明する。
図２は、本体部ＨＴＬを、図１における前方側からみた平面図であり、図３は、本体部ＨＴＬを、図１における紙面裏側の前上方から見た斜視図である。図２及び図３とも、イヤーパッドＥＰを外した状態が示されている。
【００１３】
ハウジング部ＨＳは、ヘッドホン５１を頭部に装着した際に頭部側となるバッフル２と外方側となるケース３とが内外方向に組み合わされて構成されている。
バッフル２は、内方側にフランジ２ａを有し、このフランジ２ａにイヤーパッドＥＰが取り付けられる。また、中央部に複数の放音孔２ｂが形成されており、この放音孔２ｂを介してハウジング部ＨＳの内部に収納したスピーカＳＰからの音声が外部に放出される。
【００１４】
図４〜図７を参照して各部材について詳述する。
まず、バッフル２について図４を主に参照して詳述する。
図４はバッフル２の四面図である。図４（ａ）はその正面図、図４（ｂ）はその上面図、図４（ｃ）はその右側面図、図４（ｄ）はその背面図である。
【００１５】
バッフル２は、概ね円形の平板状に形成された基部２ｋを有して樹脂により形成されている。基部２ｋの内方面には、上述のようにフランジ２ａが形成され、基部２ｋの中央部には放音孔２ｂが複数形成されている。基部２ｋの外方面の中央部には円形のリブ２ｃが形成されている。このリブ２ｃで囲まれた部分にはスピーカＳＰが取り付けられる。基部２ｋの外方面の周縁部には、外方側に突出する周壁部２ｄが形成されている。周壁部の内周面には、互いに離隔して中心側に向け突出する係合凸部２ｅが四箇所形成されている。
基部２ｋの外方面には四つのリブ２ｆ１〜２ｆ４が立設されている。四つのリブ２ｆ１〜２ｆ４は、径方向については基部２ｋの中心ＣＴＲから概ね等距離に形成され、周方向については、リブ２ｆ１及び２ｆ４が水平の軸線ＣＬｈ上に設けられ、リブ２ｆ２とリブ２ｆ４とが軸線ＣＬｈに直交する垂直の軸線ＣＬｖに対して時計回りと反時計回りにそれぞれ角度θａ，θｂの位置に設けられている。
図４では、θａ＝θｂとした例が記載されている。
基部２ｋには、バッフル２を後述するバヨネット構造でケース３と係合させた後、両者をねじ締結するための雄ねじＮｊを挿通する貫通孔２ｈが形成されている。
【００１６】
リブ２ｆ１〜２ｆ４は、図４（ｂ）などに示されるように、先端側に段部２ｆ１ａ〜２ｆ４ａが設けられている。この段部２ｆ１ａ〜２ｆ４ａに対応した矩形の範囲にアーチブラケット５が進入する。その詳細は後述する。
【００１７】
次に、ケース３について図５，図６を主に参照して詳述する。
図５はケース３の四面図である。図５（ａ）はその正面図、図５（ｂ）はその上面図、図５（ｃ）はその右側面図、図５（ｄ）はその背面図である。図６はケース３の斜視図である。
【００１８】
ケース３は、有底鍋状の基部３ｋと、基部３ｋの縁部から階段状に拡径した段部３ｄと、を有し、樹脂により形成されている。
段部３ｄは、基部３ｋ側から第１段部３ｄ１と第２段部３ｄ２とを有している。
図５（ａ）において、第１段部３ｄ１の内面には、軸線ＣＬ３方向にタップの下孔３ａ１を有して突出するボス３ａが形成されている。
基部３ｋには、径方向に対向する位置に、一対の貫通孔３ｋ１，３ｋ２が形成されている。貫通孔３ｋ１，３ｋ２は、軸線ＣＬ３方向に長手を有する長孔である。
【００１９】
第２段部３ｄ２の外周面には、周方向に互いに離隔して係合凹部３ｅが四箇所形成されている。係合凹部３ｅは、第２段部３ｄ２の端部側から軸線ＣＬ３方向に入り込んで周方向に屈曲した略Ｌ字状に抉れた形状とされている。この係合凹部３ｅには、バッフル２の係合凸部２ｅが係合可能とされ、両者の係合によりバッフル２とケース３とが一体化される。
具体的な係合作業は、バッフル２とケース３とを、係合凸部２ｅと係合凹部３ｅとが対応した姿勢とし、バッフル２とケース３とを互いに接近する方向に押し込んで係合凸部２ｅを係合凹部３ｅの軸線ＣＬ３に沿う部分に係合させる。その後、時計回り方向に角度θｃだけ回動させると、バッフル２の係合凸部２ｅの内方面に設けられた突起（図示せず）が係合凹部３ｅの溝部３ｅ１に嵌合し、その位置でクリック感が得られるとともに安定的に保持される。これはいわゆるバヨネット構造である。
さらに、タッピングねじＮｊ（図３参照）を貫通孔２ｈに挿通して下孔３ａ１にねじ込み、バッフル２とケース３とをより確実に一体化する。
第１段部３ｄ１における外方側の面は、上方及び下方に向かうに従って前方側に傾斜した傾斜面３ｆ１，３ｆ２を有して形成されている。
基部３ｋの内方側の底面３ｋｂには、貫通孔３ｋ１，３ｋ２にそれぞれ対応した径方向位置にリブ３ｇ１，３ｇ２が形成され、天方向にリブ３ｇ３が形成されている。
【００２０】
次に、ハンガー１について図７〜図９を主に参照して詳述する。
図７はハンガー１の四面図である。図７（ａ）はその正面図、図７（ｂ）はその上面図、図７（ｃ）はその右側面図、図７（ｄ）はその背面図である。図８はハンガー１の斜視図である。図９は、ハンガー１の要部（係合穴１ｅ）を、図８における矢印ＹＳ１方向から見た部分平面図である。
【００２１】
ハンガー１は、円形のリング状を呈する連結部１ａと、連結部１ａから径方向外側にやや前方に傾いて突出する腕部１ｂと、を有し、樹脂により形成されている。腕部１ｂには、ヘッドバンドＨＢを係合連結させるためのヘッドバンド係合部１ｃが形成されている。
【００２２】
図７（ａ）において、連結部１ａの腕部１ｂの延出方向に対して直交する径方向には、有底なる一対の係合穴１ｄ，１ｅが形成されている。
図９において、係合穴１ｅは、円形に平坦な面を形成するようやや突出して形成された台座部１ｆに設けられている。
係合穴１ｅは、大径なる周面１ｅ１と、小径なる周面１ｅ２と、両周面を径方向に繋ぐ当接面１ｅ３，１ｅ４と、を有して形成されている。具体的には、周面１ｅ１は、内方側に形成され、軸線ＣＬ１方向を基準にして上方側に９０°＋α°、下方側に９０°＋β°の角度範囲に形成されている。図９では、α°＝β°とした例が示されている。係合穴１ｄは、係合穴１ｅと同形状で、大径なる周面が内方側となるよう形成されている。
【００２３】
次に、図１０〜図１２を参照してアーチブラケット５について説明する。ヘッドホン５１において、ハンガー１とケース３とは、アーチブラケット５により連結されている。
図１０はアーチブラケット５の三面図である。図１０（ａ）はその正面図、図１０（ｂ）はその上面図、図１０（ｃ）はその右側面図である。図１１はアーチブラケット５の斜視図であり、図１２は、図１０（ｃ）におけるＡ部拡大図である。
【００２４】
アーチブラケット５は、略半円弧状の基部５ｋと、基部５ｋの両端部において径方向外方に突出する一対の突出部５ａ，５ｂと、を有し、弾性を発揮する樹脂により形成されている。
基部５ｋは、ケース３の基部３ｋの内周面に沿って基部３ｋの内部に収められる湾曲した形状で形成されている。
基部５ｋには、中央部における一方の側面に切り欠き５ｋ１が形成されている。この切り欠き５ｋ１は、ケース３のリブ３ｇ３に係合し、ケース３に対するアーチブラケット５の取り付け方向（内外方向の面）が逆になる（所謂逆付け）ことを防止するために設けられている。
アーチブラケット５は、換言するならば、一対の突出部５ａ，５ｂが、湾曲した基部５ｋの両先端部を貫く一つの軸線上で、互いに離れる方向に突出して形成されている。
【００２５】
図１２に詳細が示される突出部５ｂは、大径なる周面５ｂ１と、小径なる周面５ｂ２と、両周面を径方向に繋ぐ当接面５ｂ３，５ｂ４と、を有して形成されている。周面５ｂ１と周面５ｂ２とは、内外方向に分けられるそれぞれ１８０°の範囲に形成され、当接面５ｂ３と当接面５ｂ４とは、上下方向に延在する同一の平面上にある。
突出部５ａは、突出部５ｂの対称形状であって、大径なる周面が突出部５ｂと同様に切り欠き５ｋ１のある側とは反対側となるように形成されている。
突出部５ａ，５ｂは、それぞれハンガー１の係合穴１ｄ，１ｅに係合した状態で所定角度範囲内で回動可能となるように形成されている。
【００２６】
次に、図１３及び図１４を主に参照して、本体部ＨＴＬの組み立て工程について詳述する。図１３は、アーチブラケット５を用いて、ハンガー１とケース３とを一体化した状態を示す平面図である。図１４は、本体部ＨＴＬの分解図である。
バッフル２には予めスピーカＳＰが取り付けられているものとする。
【００２７】
まず、ハンガー１のリング状の連結部１ａ内にケース３の基部３ｋを入れ込み、ハンガー１とケース３とを、係合穴１ｄ，１ｅとケース３の貫通孔３ｋ１，３ｋ２とがそれぞれ対応する姿勢に位置させる。
【００２８】
次いで、アーチブラケット５の両端部を、互いに接近する方向（矢印ＤＲ１，ＤＲ２方向）に撓ませてケース３の基部３ｋ内に入れ込み、その後、撓みを開放させつつ突出部５ａ，５ｂをそれぞれケース３の貫通孔３ｋ１，３ｋ２に挿通させ、さらにハンガー１の係合穴１ｄ，１ｅに係合させる。
突出部５ａ，５ｂは、貫通穴３ｋ１，３ｋ２を通過し係合穴１ｄ，１ｅに十分に嵌合できる突出長さで形成されている。
【００２９】
その後、上述したように、バッフル２をケース３にバヨネット係合させる。具体的には、バッフル２とケース３とを、係合凸部２ｅと係合凹部３ｅとが対応した姿勢とし、図１４に＜１＞で示すようにバッフル２とケース３とを互いに接近する方向に押し込んで係合凸部２ｅを係合凹部３ｅの軸線ＣＬ３に沿う部分に係合させる。その後、図１４に＜２＞で示すように、時計回り方向に角度θｃだけ回動させると、バッフル２の係合凸部２ｅの内方面に設けられた突起（図示せず）が係合凹部３ｅの溝部３ｅ１に嵌合し、その位置でクリック感が得られるとともに安定的に保持される。
次いで、タッピングねじＮｊを貫通孔２ｈに挿通してさらにボス３ａの下孔３ａ１に締め込み、バッフル２とケース３とを内部にアーチブラケット５を収めつつ一体化する。
【００３０】
アーチブラケット５は、可撓性を発揮し得る樹脂で形成され、半円弧状に形成されているので、先端部を弾性範囲内ですぼませてケース３の基部３ｋ内に進入させ、先端部を復帰させる際に、突出部５ａ，５ｂそれぞれをハンガー１の係合穴１ｄ，１ｅに係合させる作業が極めて容易に行える。
また、係合穴１ｄ，１ｅに係合する突出部５ａ，５ｂは、基部５ｋにより連結され、一体化しているので、ハンガー１とケース３との一体化に必要な追加の部品点数は一つで済む。アーチブラケット５を形成する樹脂例として、ＰＯＭ（ポリアセタール）樹脂などがある。
【００３１】
突出部５ｂは、係合穴１ｅに係合した状態で、ハウジング部ＨＳの上方側を頭部側（内方側）に傾けた場合に、当接面５ｂ３が当接面１ｅ３に当接してその回動が規制され、ハウジング部ＨＳの下方側を頭部側（内方側）に傾けた場合に、当接面５ｂ４が当接面１ｅ４に当接してその回動が規制される。
図９に示されるように、係合穴１ｅの当接面１ｅ３と当接面１ｅ４とが開口側で成す角度は、１８０°＋（α＋β）°あり、ハウジング部ＨＳは、上方側にα°の回動が可能であり、下方側にβ°のティルト回動が可能なようになっている。
このように、当接面５ｂ３と当接面１ｅ３，当接面５ｂ４と当接面１ｅ４とは、一対の突出部５ａ，５ｂの回動角度範囲を規制する回動規制部となっている。
図２及び図５に示される、ケース３の傾斜面３ｆ１，３ｆ２は、ハウジング部ＨＳのティルト回動において、ケース３がハンガー１に当接しないように逃げの傾斜角度が決められている。これは両者当接すると、当接音が不快に感じられる場合があることによる。
【００３２】
図１５は、ヘッドホン５１の本体部ＨＴＬを図１におけるＳ１−Ｓ１で切断した断面図である。
アーチブラケット５は、ケース３の基部３ｋの内部に収められている。ケース３内に収められたアーチブラケット５の外方向の位置規制は、リブ３ｇ１〜３ｇ３によりなされている（図１３も参照）。
また、内方向への移動規制は、ケース３にバヨネット係合されたバッフル２のリブ２ｆ１〜２ｆ４によってなされている。
リブ２ｆ１〜２ｆ４の内、リブ２ｆ２及びリブ２ｆ３は、リブ３ｇ３と協働してアーチブラケット５を挟み込むようにアーチブラケット５に当接又は近接している。その際、リブ２ｆ２については図１５にも示されるように、アーチブラケット５は、リブ２ｆ２及びリブ２ｆ３それぞれの段部２ｆ２ａ及び２ｆ３ａにより抉れた範囲として規定される矩形の範囲に進入しており、アーチブラケット５の内方側となる端面５ｄと軸線ＣＬ３側の面５ｅとの両方の面が、段部２ｆ２ａ，２ｆ３ａと対向している。
一方、リブ２ｆ１〜２ｆ４の内、アーチブラケット５の突出部５ａ，５ｂに対応した位置にあるリブ２ｆ１及びリブ２ｆ４は、アーチブラケット５の先端部が弾性変形により内方側に撓んで、内方向（軸線ＣＬ３に沿う方向）に所定距離移動が可能なようアーチブラケット５との間に自然状態で隙間Δ５ａ及び隙間Δ５ｂを有して設けられている。
【００３３】
アーチブラケット５の先端部が内方側に撓み、リブ２ｆ１及びリブ２ｆ４の先端の段部２ｆ１ａ，２ｆ４ａにより規定される抉れた矩形範囲に進入した際には、アーチブラケット５は、内方側の端面５ｄと軸線ＣＬ３側の面５ｅとの両方の面が、段部２ｆ１ａ，２ｆ４ａに対向し、変形が大きい場合に当接する。
すなわち、アーチブラケット５は、リブ２ｆ１〜２ｆ４によって、内方側の端面５ｄと軸線ＣＬ３側の面５ｅとの面である直交する二つの面の移動、すなわち、内方向への移動及び下方向への移動が規制されるようになっている。
従って、アーチブラケット５は、内及び下の二つの方向の移動が規制されてガタつきなく精度よく支持されるのでヘッドホン５１に振動が付与されてもガタつき音などの異音が発生することがなく、ヘッドホン５１は高品位なものとしてユーザに供給される。
【００３４】
このアーチブラケット５の移動規制の詳細について、図１０も参照して模式的に説明する。
図１０（ａ），図１０（ｂ）に示されるように、アーチブラケット５に対し、リブ２ｆ３は、上下方向の軸線ＣＬｖを基準として、反時計まわり方向の角度θｂの位置Ｐ２で当接又は近接している。リブ２ｆ２は、上下方向の軸線ＣＬｖを基準として、時計まわり方向の角度θａの位置Ｐ３で当接又は近接している。
リブ２ｆ４及びリブ２ｆ１は、アーチブラケット５との間にそれぞれ隙間Δ５ａ及び隙間Δ５ｂを有するよう設けられているので、アーチブラケット５は、位置Ｐ２及び位置Ｐ３それぞれを起点として端部までの部分が図１０（ｂ）の二点鎖線のように弾性的に撓めるようになっている。図１０（ｂ）では、理解容易のために撓みは誇張して示されている。
アーチブラケット５の突出部５ａ，５ｂが挿通されたケース３の貫通孔３ｋ１，３ｋ２は、この弾性的な撓みによる突出部５ａ，５ｂの変位を許容するように軸線ＣＬ３方向に長手を有する長孔とされている。
すなわち、この突出部５ａ，５ｂの撓みは、軸線ＣＬ５から離れる方向に生じ、その撓みの方向に沿って貫通孔３ｋ１，３ｋ２の長手方向が設定されている。また、貫通孔３ｋ１，３ｋ２は、その長孔の平行辺部分ΔＤ〔図５（ｃ）参照〕が隙間Δ５ａ，Δ５ｂ以上となるように形成されている。
このアーチブラケット５の両腕の弾性変形を利用し、ケース３にその変形を許容する形状（例えば長孔）で貫通孔３ｋ１，３ｋ２を形成したことにより、本体部ＨＴＬは、スイーベル回動が行えるようになっている。
【００３５】
スイーベル回動の重み（抗力の程度）は、アーチブラケット５に当接又は近接させるリブ２ｆ２，２ｆ３の位置Ｐ３，Ｐ２を図１０（ａ）の左右に変える〔図１０（ａ）における円弧状矢印ＤＲ１０ａ，ＤＲ１０ｂ参照〕ことで調整することができる。アーチブラケット５における、位置Ｐ２，Ｐ３を起点とする端部迄の距離（以下、変形腕部の長さとも称する）を長くするほど、スイーベル回動は軽くなる。換言するならば、変形腕部のばね定数を最適化することが容易となる。
【００３６】
また、スイーベル回動の重みは、アーチブラケット５の断面形状によっても変えることができる。撓み方向の曲げ剛性がスイーベル回動において最適になるよう基部５ｋの断面形状を設定してもよい。具体的には肉厚の選択、幅の選択、スリットや切り込みの形成等、である。
また、ハウジング部ＨＳの前方側を、スイーベル回動により内方側（頭部側）に傾ける際の抗力と、後方側を内方側に傾ける際の抗力と、に差を設けることも容易に可能となる。
アーチブラケット５における変形腕部とされる部分のばね定数が異なるものを容易しておけば、ケース３及びハンガー１を共通部品とすることができ、コストアップ抑制が可能である。
【００３７】
本体部ＨＴＬ，ＨＴＲでは、アーチブラケット５の固定は、専用部材を別個に設けることなく、ケース３側に設けたリブ３ｇ３とバッフル２側に設けたリブ２ｆ２，２ｆ３との間で挟持する構造とし、リブ２ｆ２，２ｆ３の位置が、ケース３のバヨネット係合作業で所定の位置に自ずと決まるようになっている。すなわち、アーチブラケット５は、ケース３とバッフル２との間に挟まれて支持されている。
【００３８】
図１０（ａ）を参照して具体的に説明すると、ケース３に対してバッフル２をバヨネット係合により嵌着させる際の係合凸部２ｅと係合凹部３ｅとを対応させた姿勢において、リブ２ｆ１〜２ｆ４は、それぞれＰ１ａ〜Ｐ４ａの位置にある。Ｐ１ａ〜Ｐ４ａの位置は、所定のＰ１〜Ｐ４の位置に対し反時計回り方向に角度θｃとなる位置である。これらのＰ１ａ〜Ｐ４ａの位置から、バヨネット係合における時計回り方向の角度θｃの相対的回動により、各リブ２ｆ１〜２ｆ４は、所定のＰ１〜Ｐ４の位置に移動する。
この構造により、別個の部品を必要とせずコストアップを回避できる。また、アーチブラケット５をリブで挟持する位置が安定し、精度よく決められるので、不良品が発生する虞が極めて少なく、良品の品質も極めて高く維持される。
また、アーチブラケット５が、互いに離隔した複数のリブ２ｆ２，２ｆ３によって基部５ｋにおける離隔した複数の場所で押さえられ、保持されている。
これにより、基部５ｋが傾いたりその位置がずれることがなく、しっかりとハウジング部ＨＳ内に保持される。この構造によれば、使用時に不要な異常音を発生させることがない。
【００３９】
アーチブラケット５は、一対の突出部５ａ，５ｂが、自然状態で基部５ｋの先端部を貫く軸線ＣＬ５から離れる方向、例えば基部５ｋの延在面に対して直交する方向に、所定量撓めるよう基部５ｋの両先端側が開放されている。また、この撓みに対応して、一対の貫通孔３ｋ１，３ｋ２は、一対の突出部５ａ，５ｂの所定量の撓みを許容する形状で形成されている。実施例では長孔を説明したが、長孔に限定されるものではない。
【００４０】
また、従来、図１６に示されるように、樹脂で形成されたＵ字状ハンガー１０２は、主としてＵ字の腕の根本から先端まで（Ｄ１００で示される範囲）の弾性変形を利用してスイーベル回動を得ることが可能なものであった。スイーベル回動とは、ヘッドホンの装着状態で、概ね天地方向となる軸線ＣＬ１００回りの回動の（矢印ＤＲ１００）ことである。ヘッドホンは、このスイーベル回動を適度な抗力を持って行えるものであると、装着感がより良好になるので好ましい。
従来の樹脂で形成されたＵ字状ハンガー１０２を有するヘッドホンは、追加部材なしに適度な抗力を持ったスイーベル回動が可能のものであった。
しかしながら、リング状の連結部を有するハンガーは、連結部が閉じた形状であるから僅かな弾性変形しか得られず、実質的にハンガーの弾性変形のみではスイーベル回動が行えない、という問題があり、改善が望まれていた。
これに対し、上述の実施例のヘッドホン５１によれば、リング状の連結部を有するハンガーを採用していても、スイーベル回動が行える。
また、従来、リング状の連結部を有するハンガーは、連結部の径方向において互いに接近する方向に突出する一対の支持ピンを形成し、一対の支持ピンを、それらに対応して設けられたハウジング部の挿通孔へ取り付けようとしても、リング状という閉じた形状故に、Ｕ字状ハンガーのように弾性的に拡幅変形させて取り付けることは困難であった。
そのため、ハウジング部側にボスを一体的に形成し、そのボスをハンガー側に設けた凹部に係合させることが検討されるが、ハンガーの拡幅弾性変形量を多くとれないことからボスの係合を浅くせざるを得ず、ヘッドホンを落下させてしまった場合などにはハンガーが容易に外れてしまうことが懸念される。
逆に、落下等でボスが容易に外れないように係合量を多くとろうとすると、ハウジング部に対し、後付でボスを接着固定することが検討されるが、接着剤塗布の工程が増えると共にハンガーの拡幅弾性変形量が少ないことから分解が困難で修理が難しくなるので好ましいものではなく、改良が望まれていた。
これに対し、上述の実施例のヘッドホン５１によれば、リング状の連結部を有するハンガーを採用していても、分解が容易で修理も行える。
【００４１】
本発明の実施例は、上述した構成に限定されるものではなく、本発明の要旨を逸脱しない範囲において変形例としてもよいのは言うまでもない。
【００４２】
ハンガー１の連結部１ａは、円形に限るものではない。閉じた形状であれば、楕円形，長円形，多角形でもよく、これらを組み合わせた形状でもよい。
リブ３ｇ１〜３ｇ３は、説明した三つに限るものではなく、四つ以上設けてもよい。また、リブ２ｆ１〜２ｆ４も、説明した四つに限るものではなく、五つ以上設けてもよい。
【符号の説明】
【００４３】
１  ハンガー
１ａ  連結部、１ｂ  腕部、１ｃ  ヘッドバンド係合部
１ｄ，１ｅ  係合穴、１ｄ１，１ｄ２  周面、１ｆ  台座部
２  バッフル
２ａ  フランジ、２ｂ  放音孔、２ｅ  係合凸部
２ｆ１〜２ｆ４  リブ、２ｆ１ａ〜２ｆ４ａ  段部
２ｈ  貫通孔、２ｋ  基部
３  ケース
３ａ  ボス、３ａ１  下孔、３ｄ  段部、３ｄ１，３ｄ２  第１段部，第２段部
３ｅ  係合凹部、３ｅ１  溝部、３ｆ１，３ｆ２  傾斜面
３ｇ１〜３ｇ３  リブ
３ｋ  基部、３ｋ１，３ｋ２  貫通孔
５  アーチブラケット
５ａ，５ｂ  突出部、５ａ１，５ａ２  周面、５ａ３，５ａ４  当接面
５ｄ  （内方側の）面、５ｅ  （軸線ＣＬ側の）面
５ｋ  基部、５ｋ１  切り欠き
５１  ヘッドホン
ＣＬｈ，ＣＬｖ  軸線
ＥＰ  イヤーパッド
ＨＴＬ，ＨＴＲ  本体部、ＨＳ  ハウジング部
Ｎｊ  タッピングねじ
ＳＰ  スピーカ
【図１】
0005617808.tif 000002
【図２】
0005617808.tif 000003
【図３】
0005617808.tif 000004
【図４】
0005617808.tif 000005
【図５】
0005617808.tif 000006
【図６】
0005617808.tif 000007
【図７】
0005617808.tif 000008
【図８】
0005617808.tif 000009
【図９】
0005617808.tif 000010
【図１０】
0005617808.tif 000011
【図１１】
0005617808.tif 000012
【図１２】
0005617808.tif 000013
【図１３】
0005617808.tif 000014
【図１４】
0005617808.tif 000015
【図１５】
0005617808.tif 000016
【図１６】
0005617808.tif 000017